(57)【要約】【課題】照明手段を構成する発光体の発光方向を切替えることにより効率的に用いることができる棚装置を提供する。【解決手段】導光板で形成された棚板１１と、棚板１１を支持する支持体とが設けられた収納家具であって、特定の発光方向に向けて発光する単一の発光体を備えた照明具１３が設けられており、照明具１３は、棚板１１に向けて発光する第１の発光方向と、第１の発光方向を除いた第２の発光方向とに切替可能な切替部１８を備えていることにより照明具１３の発行方向を適宜切替えることができ、単一の発光体を効率的に用いることができる。【選択図】図４
2008055040.tif 000002
【特許請求の範囲】
【請求項１】
導光板で形成された棚板と、該棚板を支持する支持体とが設けられた棚装置であって、特定の発光方向に向けて発光する単一の発光体を備えた照明手段が設けられており、該照明手段は、前記棚板に向けて発光する第１の発光方向と、該第１の発光方向を除いた第２の発光方向とに切替可能な発光方向切替部を備えていることを特徴とする棚装置。
【請求項２】
前記第２の発光方向が、前記棚板の下方向であることを特徴とする請求項１に記載の棚装置。
【請求項３】
前記発光体の消灯は、前記発光方向切替部を介して行われることを特徴とする請求項１または２に記載の棚装置。
【請求項４】
前記照明手段は、前記棚板の後面側に設けられていることを特徴とする請求項１ないし３のいずれかに記載の棚装置。
【請求項５】
前記棚板の後端面に光拡散部が形成されていることを特徴とする請求項４に記載の棚装置。
【発明の詳細な説明】
【技術分野】
【０００１】
本発明は、導光板で形成された棚板と、この棚板を支持する支持体とが設けられた棚装置に関する。
【背景技術】
【０００２】
従来の棚装置は、棚装置を構成する導光板で形成された棚板を照らす照明手段が設けられており、この照明手段により各棚板における収納部を照明している（例えば、特許文献１参照）。
【０００３】
【特許文献１】実開平６−３８１１７号公報（第５頁、第２図）
【発明の開示】
【発明が解決しようとする課題】
【０００４】
しかしながら、特許文献１にあっては、照明手段を構成する発光体が、棚板に向かう単一の発光方向にのみ発光するため、例えば、前記単一の発光方向を除いた他の方向を照らす場合は、前記照明手段とは別段の照明手段を用いる必要があり、この別段の照明手段を設置するため手間やコストが負担となっていた。
【０００５】
本発明は、このような問題点に着目してなされたもので、照明手段を構成する発光体の発光方向を切替えることにより効率的に用いることができる棚装置を提供することを目的とする。
【課題を解決するための手段】
【０００６】
上記課題を解決するために、本発明の請求項１に記載の棚装置は、導光板で形成された棚板と、該棚板を支持する支持体とが設けられた棚装置であって、特定の発光方向に向けて発光する単一の発光体を備えた照明手段が設けられており、該照明手段は、前記棚板に向けて発光する第１の発光方向と、該第１の発光方向を除いた第２の発光方向とに切替可能な発光方向切替部を備えていることを特徴としている。
この特徴によれば、照明手段に備えられた発光方向切替部により、発光体の発光方向を、導光板で形成された棚板の板面を利用して発光させることができる第１の発光方向と、棚板を除いた第２の発光方向とに適宜切替えることができるため、単一の発光体を効率的に用いることができる。
【０００７】
本発明の請求項２に記載の棚装置は、請求項１に記載の棚装置であって、前記第２の発光方向が、前記棚板の下方向であることを特徴としている。
この特徴によれば、棚板の板面で室内の光が遮られ易い棚板の下方向を第２の発光方向として、照明手段により照明することができるため、例えば、棚板の下方向を収納スペース等として利用できる。
【０００８】
本発明の請求項３に記載の棚装置は、請求項１または２に記載の棚装置であって、前記発光体の消灯は、前記発光方向切替部を介して行われることを特徴としている。
この特徴によれば、発光方向切替部により、発光体の第１の発光方向及び第２の発光方向の切替と、発光体の消灯とを併せてできるため、照明手段の操作の利便性が高い。
【０００９】
本発明の請求項４に記載の棚装置は、請求項１ないし３のいずれかに記載の棚装置であって、前記照明手段は、前記棚板の後面側に設けられていることを特徴としている。
この特徴によれば、照明手段が、棚板の奥側である後面側に設けられているため、棚板の上面に収納物を載置するに際し、照明手段が邪魔になることがない。また、棚板の後面側に設けられた照明手段から前面側に向かって照らすことにより、照明の演出的効果が得られる。
【００１０】
本発明の請求項５に記載の棚装置は、請求項４に記載の棚装置であって、前記棚板の後端面に光拡散部が形成されていることを特徴としている。
この特徴によれば、光拡散部を利用することにより棚板の全面に亘り照光を拡散することが出来る。
【発明を実施するための最良の形態】
【００１１】
本発明の実施例を以下に説明する。
【実施例１】
【００１２】
本発明の実施例１を図面に基づいて説明すると、先ず図１は、本発明の実施例１における棚装置の全体像を示す斜視図である。図２は、棚板の平面図及び側面図である。図３は、棚板を斜下方から視た斜視図である。図４（ａ）、（ｂ）は、図１のＣ−Ｃ一部断面図である。図５（ａ）〜（ｃ）は、図４（ａ）の点線囲い部拡大図である。
【００１３】
図１に示されるように、本実施例におけるキッチンカウンタ１は、幅方向に延びる箱状に構成されており、前面に適宜開閉扉５ａ若しくは開閉引出し５ｂを備えたキッチンキャビネット５が設けられるとともに、キッチンキャビネット５の上面を構成する天板２において図示左側に設けたシンク３及び図示右側に設けたコンロ４が設けられている。
【００１４】
また、キッチンカウンタ１の後面側には壁面Ｗが配設されており、天板２の上方適所において、本発明の棚装置を構成する棚板１１が、壁面Ｗに固着された本発明の支持体としてのカバー１２の前面に略水平方向に設けられたスリット孔１２ａに、その後端部を貫通して支持され、上面１１ｆに収納物を載置できるように設置されている。
【００１５】
カバー１２は、収納物を載置した棚板１１の重量を支持できるような支持構造を備えているとともに、カバー１２の前面は、透光性を有するアクリル材により形成されている。またカバー１２内部は、区画板８の前面側と、スリット孔１２ａに貫通した棚板１１の後端面１１ｃとの間に所定のスペースが形成されるように、中空部が設けられており、この中空部に本発明の照明手段としての照明具１３を、後述のように回動可能に収納している。このように、支持体としてのカバー１２の内部に照明具１３を収納することで、カバー１２の支持構造を利用して、照明具１３を接触等による損傷から防止し、保護することができる。
【００１６】
キッチンカウンタ１の前面側は、キッチンカウンタ１の使用者等が行き来でき、キッチンカウンタ１を設置した室内の光により、棚板１１に載置した収納物をキッチンカウンタ１の前面側から視認できるようになっている。但し、棚板１１の下方、特に壁面Ｗ寄りは室内の光が遮られて十分差さず、キッチンカウンタ１の使用者が視認し難くなっている。
【００１７】
図２に示されるように、棚板１１は、内部に照光を導入させる導光板であるとともに、透明性を備えるガラス板から成っており、特に上面１１ｆ及び下面１１ｇは凹凸なく鏡面状に形成されている。ここで導光板とは、一面から内部に照光を導入させるとともに、他面から外部に該照光を導出させる性質を備えた板のことであって、上記ガラス板に限られず、例えば、アクリル板若しくはプラスチック板等であってもよく、板の素材については特に限定されるものではない。棚板１１の後端部の左右両側は、スリット孔１２ａの左右幅に合わせて前面側と比べて幅狭の段部１１ｅ、１１ｅに形成され、段部１１ｅの後端面をカバー１２の前面に当接させる位置まで棚板１１をカバー１２のスリット孔１２ａに貫通する。
【００１８】
また、図３〜図５に示されるように、照明具１３を収容したカバー１２のスリット孔１２ａに貫通した棚板１１は、その前端面１１ａが上面１１ｆの前辺から、該前辺より前方に位置する下面１１ｇの前辺に向かって傾斜するテーパ面に形成されている。また、上記テーパ面に形成された前端面１１ａには、棚板１１と別体であって反射効率の高い金属プレートからなる反射体２１が貼付されている。
【００１９】
次に、単一の発光体を備えた照明手段としての照明具１３は、左右方向に形成された保持具１３ｂと、保持具１３ｂ内部に配設された発光ダイオード（ＬＥＤ）からなる発光体１３ａと、から構成され、左右幅方向に延設されており、発光体１３ａに電力を供給するケーブル（図示略）の一端が、照明具１３の側端部に接続されている。尚、単一の発光体を備えた照明手段とは、発光素子又は発光源が一つであることを意味するだけではなく、複数の発光素子又は発光源を一つの照明装置にまとめたものを含む。
【００２０】
図５（ｂ）、（ｃ）に示されるように、照明具１３は、照明具１３の背面側に左右方向に設けられた回動軸周りに回動可能に設けられている。具体的には、発光体１３ａが、棚板１１の後端面１１ｃを向く特定の発光方向としての第１の発光方向（図５（ｂ）参照）と、発光体１３ａが棚板１１の下方を向く特定の発光方向としての第２の発光方向（図５（ｃ）参照）との間を、回動軸に接続されカバー側端部において前方に突出したレバーからなる発光方向切替部１８により、回動可能に設けられている。
【００２１】
図５（ａ）に示されるように、発光方向切替部１８は、発光体１３ａが第１の発光方向を向く位置（図５（ｂ）参照）から、更に上方に回動し水平位置とすることで、照明具１３への電力の供給を切状態として発光体１３ａを消灯させることができるようになっている。即ち、発光体１３ａの消灯は、発光方向切替部１８を介して行うことができる。
【００２２】
尚、発光体１３ａは、必ずしも本実施例の発光ダイオードに限定されるものではなく、例えば、蛍光灯、電球等、他の公知の発光体であってもよい。また、発光方向切替部は、必ずしも本実施例のレバーに限られず、例えば、天板２上面等の所定位置に配設した押圧ボタン式であってもよいし、使用者が棚板１１から離間した位置から操作可能なリモコン式であってもよい。
【００２３】
次に、照明具１３の使用について説明する。
【００２４】
図５（ａ）に示されるように、照明具１３に電源が供給されず発光体１３ａが消灯している状態の発光方向切替部１８の位置（水平位置）から、図５（ｂ）に示されるように、レバーからなる発光方向切替部１８を下方に向けて回動操作することにより、照明具１３に電源が供給され、単一の発光体１３ａが発光する。発光体１３ａは発光ダイオードであるため、照光Ｋは、指向性を有し拡散せずに一定方向に進行する性質を備えており、第１の発光方向として棚板１１の後端面１１ｃに向けて照射される。
【００２５】
そして照光Ｋは、導光性を有する棚板１１の後端面１１ｃから棚板１１内部に向かって進入する。ここで、棚板１１の後端面１１ｃにおける照明具１３との対向位置に、光拡散部としての切欠き１１ｄが棚板１１の左右方向に形成されており（図２参照）、発光体１３ａから発せられた照光Ｋは、この切欠き１１ｄにより左右方向に屈折して拡散するとともに、該屈折した方向に進行する（図２中矢印参照）。
【００２６】
このようにすることで、光拡散部としての切欠き１１ｄを利用することにより、棚板１１の全面に亘り照光を拡散することが出来る。尚、棚板１１の後端面１１ｃに光拡散部としての切欠き１１ｄが形成されており、照明具１３により後端面１１ｃに進行する照光Ｋが、棚板１１の左右方向に拡散するように成っているが、例えば、後端面に光拡散部として、凸状片が形成されてもよいし、光拡散部は、照光を棚板の上下方向に拡散させるものであってもよい。
【００２７】
そして照光Ｋの一部は、棚板１１の上面１１ｆ、下面１１ｇの両面を反射して屈折を繰り返しながら、反射体２１が取付けられた棚板１１の前端面１１ａから、棚板１１の下方に向かって照らす。
【００２８】
このようにすることで、棚板１１の前面側に向かって進行する照光Ｋが、反射手段としてのテーパ面に形成された前端面１１ａ及び反射体２１により効率的に棚板１１の下方側に向かって進行するため、光源としての照明具１３による照光Ｋの照度を維持できる。
【００２９】
また、照光Ｋの一部は、上面１１ｆ及び下面１１ｇ、両側端面１１ｂ、１１ｂからも棚板１１の外部に向かって照らす。即ち、照明具１３により発せられた照光Ｋは、棚板１１の略全面から発光されて、棚板１１全面の周辺、特に上面１１ｆに載置した収納物や下段の棚板１１の収納物等を演出的に照らすことができる。
【００３０】
また、このようにすることで、照明具１３が棚板１１の奥側である後面側に設けられているため、棚板１１の上面に収納物を載置するに際し、照明具１３が邪魔になることがない。また、棚板１１の後面側に設けられた照明具１３から前面側に向かって照らすことにより、照明の演出的効果が得られる。
【００３１】
尚、照明具１３は、必ずしも棚板１１の後面側に設けられている必要はなく、例えば棚板の左右の側面側に設けられ、第１の発光方向として棚板の左右の側端面を照らしてもよい。また、照明具１３は、棚板の下面下方に設けられ、第１の発光方向として棚板の下面を照らしてもよいし、棚板の上面上方に設けられ、棚板の上面を照らしてもよい。
【００３２】
棚板１１の前端面１１ａは、上面１１ｆの前辺から、該前辺より相対的に前方に位置する下面１１ｇの前辺に向かって傾斜するテーパ面に形成されているとともに、このテーパ面に形成された前端面１１ａに、棚板１１と別体であって反射効率の高い金属プレートからなる反射体２１が貼付されており、上記テーパ面に形成された前端面１１ａと反射体２１とにより、照明具１３による照光Ｋを棚板１１の下方側に反射させる反射手段が構成されている。尚、棚板と別体に設ける反射体は、少なくとも棚板より反射効率の高い性質を備えていれば、例えば、金属プレートよりも肉薄の金属箔を貼付してもよいし、金属蒸着により棚板に取付けてもよい。
【００３３】
次に、図５（ｃ）に示されるように、発光方向切替部１８を下方に向けて更に回動操作することにより、発光方向切替部１８に接続された照明具１３が、発光方向切替部１８に連動して回動軸周りに下方に向けて回動動作し、発光体１３ａから発光された照光Ｋは、第２の発光方向として棚板１１の下面１１ｇ下方に向けて照射される。
【００３４】
このようにすることで、照明具１３に備えられた発光方向切替部１８により、発光体１３ａの発光方向を、導光板で形成された棚板１１の板面を利用して発光させることができる第１の発光方向と、棚板１１の下方向である第２の発光方向とに適宜切替えることができるため、単一の発光体１３ａを効率的に用いることができる。
【００３５】
また、棚板１１の板面で室内の光が遮られ易い棚板１１の下方向を第２の発光方向として、照明具１３により照明することができるため、例えば、棚板１１の下方向を収納スペース等として利用できる。尚、第２の発光方向は、必ずしも本実施例のように棚板１１の下方向であるものに限られず、棚板１１に向けて発光する第１の発光方向を除いた方向であれば、例えば棚板の側方であってもよいし、上方であってもよい。
【００３６】
更に、発光方向切替部１８により、発光体１３ａの第１の発光方向及び第２の発光方向の切替と、発光体１３ａの消灯とを併せてできるため、照明具１３の操作の利便性が高い。尚、発光体１３ａの消灯は、必ずしも発光方向切替部１８を介して行われる必要はなく、例えば、発光方向切替部とは別体に発光体１３ａを発光若しくは消灯するスイッチを設け、発光方向切替部と前記スイッチとを併用して照明具１３を操作してもよい。
【実施例２】
【００３７】
次に、本発明の実施例２を図面に基づいて説明すると、先ず図６は、本発明の実施例２における棚装置の全体像を示す斜視図である。図７は、棚板を斜下方から視た斜視図である。尚、上述した実施例１と同様の構成については、説明を省略する。
【００３８】
図６に示されるように、本実施例におけるキッチンカウンタ１ａは、天板２ａと底板９及び左右の外側板６、６とからなる箱状に形成され、前面側と後面側とに亘って使用できるいわゆるアイランド型カウンタであって、前後方向にキッチン側Ａと収納側Ｂとに区別されており、キッチンカウンタ１ａ内部における前後方向略中央位置に、キッチンカウンタ１ａ内部を区画する区画板８が左右方向に配設されている。以下、キッチン側Ａを説明する場合はキッチン側Ａに向かう使用者から視た前後左右方向とし、逆に、収納側Ｂを説明する場合は収納側Ｂに向かう使用者から視た前後左右方向とする。
【００３９】
キッチン側Ａには、特に図示しないが、前面側に適宜開閉扉若しくは開閉引出しを備え、キッチンカウンタ１ａの上面を構成する天板２ａにおいて、シンク３、調理台２’及びコンロ４が設けられている。
【００４０】
収納側Ｂの左右両側には、天板２ａと底板９及び区画板８と外側板６、内側板７により仕切られた内部空間を有する収納部５’、５’を夫々備え、収納部５’の前部には、外側板６、内側板７の前側辺に回動可能に枢支した開閉扉５ａ’を設けている。
【００４１】
図６及び図７に示されるように、左右の両内側板７、７と区画板８とにより仕切られるとともに、前面が開口する収納凹部１０を備えている。収納凹部１０内には、２枚の棚板１１が、区画板８の前面に固着された本発明の支持体としてのカバー１２の前面に略水平方向に設けられたスリット孔１２ａに、その後端部を貫通して支持され、夫々上面に収納物を載置できるように所定間隔で上下段を構成して設置されている。また、棚板１１は、内側板７に固着された支持ピン１４によって補助的に支持されている。
【００４２】
収納凹部１０の前部には、特段の開閉扉等は設けておらず、キッチンカウンタ１を設置した室内の光により、棚板１１に載置した収納物を収納凹部１０の手前側から視認できるようになっている。但し、収納凹部１０の上方は天板２ａで被覆されているため、収納凹部１０の区画板８側、即ち奥側は室内の光が遮られて十分差さず、手前側と比べて視認し難くなっている。
【００４３】
上記した実施例１と同様の構成により、照明具に備えられた発光方向切替部１８により、発光体の発光方向を、導光板で形成された棚板１１の板面を利用して発光させることができる第１の発光方向と、棚板１１の下方向である第２の発光方向とに適宜切替えることができるため、単一の発光体を効率的に用いることができる。
【００４４】
以上、本発明の実施例を図面により説明してきたが、具体的な構成はこれら実施例に限られるものではなく、本発明の要旨を逸脱しない範囲における変更や追加があっても本発明に含まれる。
【００４５】
例えば、上記実施例１、２では、棚装置としてキッチンカウンタが設けられていたが、導光板で形成された棚板と、該棚板を支持する支持体とが設けられた棚装置であれば、収納品目若しくは開き扉等の棚装置の用途・仕様は本実施例に限られず、例えば、飾り戸棚でもよいし、書棚でもよい。
【００４６】
また、上記実施例１、２では、棚板１１の上面１１ｆ及び下面１１ｇは、鏡面状に形成されており、後端面１１ｃより棚板１１内部を上面１１ｆと下面１１ｇとを反射しながら進行する照光は、上面１１ｆ及び下面１１ｇ、前端面１１ａ、側端面１１ｂから外部に向けて発光しているが、例えば、上面若しくは下面にドット状に凹凸部が形成される等、公知の粗面加工が施されており、上面若しくは下面から外部に向けて、より照度を高く維持した状態で発光するようにしてもよい。
【００４７】
また、上記実施例１、２では、壁面Ｗ若しくは区画板８の前面に、棚板１１を支持する支持体としてカバー１２が設けられているが、例えば、支持体として壁面自体若しくは区画板自体が棚板を支持するようにしてもよいし、また壁面若しくは区画板の前面に、支持体としてブラケットを固着し、このブラケットが棚板を支持するとともに、壁面若しくは区画板の前面と、棚板の後端面との間に所定のスペースを設け、このスペースに照明手段を設置するようにしてもよい。
【図面の簡単な説明】
【００４８】
【図１】本発明の実施例１における棚装置の全体像を示す斜視図である。
【図２】棚板の平面図及び側面図である。
【図３】棚板を斜下方から視た斜視図である。
【図４】（ａ）、（ｂ）は、図１のＣ−Ｃ一部断面図である。
【図５】（ａ）〜（ｃ）は、図４（ａ）の点線囲い部拡大図である。
【図６】本発明の実施例２における棚装置の全体像を示す斜視図である。
【図７】棚板を斜下方から視た斜視図である。
【符号の説明】
【００４９】
１                キッチンカウンタ
１ａ              キッチンカウンタ
２                天板
２ａ              天板
２’              調理台
３                シンク
４                コンロ
５                収納部
５’              収納部
５ａ              開閉扉
５ａ’            開閉扉
６                外側板
７                内側板
８                区画板
９                底板
１０              収納凹部
１１              棚板
１１ａ            前端面
１１ｂ            側端面
１１ｃ            後端面
１１ｄ            切欠き（光拡散部）
１１ｅ            段部
１１ｆ            上面
１１ｇ            下面
１２              カバー（支持体）
１２ａ            スリット孔
１３              照明具（照明手段）
１３ａ            発光体
１３ｂ            保持具
１４              支持ピン
１８              発光方向切替部
２１              反射体
Ａ                キッチン側
Ｂ                収納側
Ｋ                照光
Ｗ                壁面
【図１】
2008055040.tif 000003
【図２】
2008055040.tif 000004
【図３】
2008055040.tif 000005
【図４】
2008055040.tif 000006
【図５】
2008055040.tif 000007
【図６】
2008055040.tif 000008
【図７】
2008055040.tif 000009